(57)【要約】【課題】鮮明な模様を呈する、意匠性の高いガラス瓶を提供する。【解決手段】内表面に、軸方向に延びる線状の凹凸が形成されている直管状の胴部２０と、胴部２０の一方の端部に、該胴部２０よりも細径に形成された、前記凹凸と連続する凹凸が内表面に形成されている口部１０とを備える。内表面に線状の凹凸を有するガラス管を切断して熱加工することにより、該凹凸がそのまま内表面に保存されたガラス瓶を製造することができる。口部１０を形成する際にガラス管を捻ることにより、口部１０における凹凸を曲線状に形成するようにしてもよい。【選択図】図１
0003179016.tif 000002
【実用新案登録請求の範囲】
【請求項１】
内表面に、軸方向に延びる線状の凹凸が形成されている直管状の胴部と、
前記胴部の一方の端部に、該胴部よりも細径に形成された、前記凹凸と連続する凹凸が内表面に形成されている口部と
を有することを特徴とするガラス瓶。
【請求項２】
前記口部には前記凹凸が螺旋状に形成されていることを特徴とする請求項１に記載のガラス瓶。
【考案の詳細な説明】
【技術分野】
【０００１】
本考案は、化粧品や香水等を収容するためのガラス瓶に関する。
【背景技術】
【０００２】
化粧品や香水等を収容するための容器として、プラスチック製容器よりも高級感のあるガラス瓶が従来より用いられている。このようなガラス瓶においては、その意匠性が売上を左右する要因になり得ることから、模様や色彩等を付加することで意匠性を高める工夫がなされている。
【０００３】
ガラス瓶は通常、溶かしたガラスを型に流し込んで成型される。このため、模様はガラス瓶の外表面に形成される。ところが、外表面に形成された凹凸部分は他の部分よりも欠けやすく、また、欠けると見栄えが悪くなる。そのため、外表面に形成する場合には凸部の先端を丸めるが、そうすると模様が不鮮明になるという欠点が生じる。また、外表面の凹部に付着した汚れを拭き取り難い、という欠点もある。
【０００４】
特許文献１には、胴部よりも開口側の口部の方が径の小さいガラス瓶において、胴部の内表面に凹凸模様が形成されたガラス瓶が記載されている。
このガラス瓶を作製する際には、まず、粗型内に溶融ガラス塊を投入し、開口から底までほぼ同じ径を有する中間成形品（パリソン）を形成する。その際、粗型の内表面に凹凸を設けておくことにより、最終製品（ガラス瓶）の胴部に対応する位置のパリソンの外表面に凹凸を形成する。次いで、内表面が平滑な仕上げ型内において、胴部に該当するパリソンの部分を内側から気体で膨張させるブロー成形を行うことにより、口部よりも胴部の方が径が大きいガラス瓶が形成される。このブロー成形により、パリソンの外表面に存在した凸部がブロー成形により内方に押し込まれ、胴部の内表面に凸部が形成される。その結果、ガラス瓶の胴部の外表面は平滑になり、胴部の内表面に凹凸が形成される。
【先行技術文献】
【特許文献】
【０００５】
【特許文献１】特開2010-260764号公報
【考案の概要】
【考案が解決しようとする課題】
【０００６】
特許文献１に記載のガラス瓶では、凹凸模様が胴部にしか形成されていないため、胴部と口部の見た目の一体感がなく、意匠性に乏しい。また、たとえパリソン外表面に先鋭な凸を形成したとしても、ブロー成形によりガラス瓶の内側に形成される凸は先端が丸くなるため、模様が不鮮明になってしまう。
【０００７】
本考案が解決しようとする課題は、意匠性の高いガラス瓶を提供することである。
【課題を解決するための手段】
【０００８】
上記課題を解決するために成された本考案に係るガラス瓶は、
内表面に、軸方向に延びる線状の凹凸が形成されている直管状の胴部と、
前記胴部の一方の端部に、該胴部よりも細径に形成された、前記凹凸と連続する凹凸が内表面に形成されている口部と
を有することを特徴とする。
【０００９】
本考案に係るガラス瓶では、胴部から口部に連続する凹凸が形成されていることにより、口部と胴部が一体感のある見た目を呈し、それにより意匠性が高まる。
【００１０】
このようなガラス瓶は、市販の、内側に線状の凹凸が形成されたガラス管の一端を閉塞し、他端側の径を小さくするように熱加工することにより、容易に作製することができる。また、ガラス瓶の内側に凹凸を有するため、凸の先端が尖っていても欠けることがない。従って、凸の先端を丸くするブロー加工を行う必要がないため、鮮明な模様を有するガラス瓶を得ることが可能である。
【００１１】
本考案に係るガラス瓶において、前記口部には凹凸が口部の内表面に沿って螺旋状に形成されるようにしてもよい。このようなガラス瓶は、より変化に富んだ意匠性を呈する。また、口部における螺旋状の凹凸は、上下延びる直線状の凹凸が形成されたガラス管を捻りながら熱加工することにより、容易に形成することができる。
【考案の効果】
【００１２】
本考案により、口部と胴部が一体感のある見た目を呈し、意匠性の高いガラス瓶が得られる。
【図面の簡単な説明】
【００１３】
【図１】本考案の一実施例に係るガラス瓶の側面全体図。
【図２】図１におけるＡ−Ａ'線断面図。
【図３】本実施例に係るガラス瓶の全体写真。
【図４】本実施例に係るガラス瓶の斜視拡大写真。
【図５】本実施例に係るガラス瓶を製造する工程を示す模式図。
【図６】本考案に係るガラス瓶の変形例を示す側面拡大図。
【考案を実施するための形態】
【００１４】
以下、図面に基づき、本考案に係るガラス瓶の一実施例について説明する。図１は本実施例に係るガラス瓶の側面全体図であり、図２は図１におけるＡ−Ａ'線断面図であり、図３はガラス瓶の全体を撮影した写真であり、図４はガラス瓶を斜め上から撮影した拡大写真である。
【００１５】
本実施例に係るガラス瓶１は、無色透明或いは有色透明であり、開口側に位置する口部１０と、該口部１０よりも径が大きい直管状の胴部２０とから構成される。口部１０の外周面には雄ねじ部１３が設けられており、該雄ねじ部１３に対応する雌ねじ部を有する蓋等によってガラス瓶１が密封されるようになっている。一方、胴部２０の外表面は平滑な面から成る。
【００１６】
ガラス瓶１の口部１０及び胴部２０の内表面には、口部１０と胴部２０の双方にまたがって延びるリブ状の凸部２３が縦方向に多数設けられている。凸部２３は断面形状が三角形状であり、先端（頂部）が尖っている。凸部２３は、口部１０においては周方向に傾斜した螺旋状の形状を呈しており、口部１０から胴部２０にかけて放射状に広がった後、胴部２０の上部から底部まで、胴部２０の軸方向に真っ直ぐ延びている。
【００１７】
上述したようにガラス瓶１は透明であるため、上記形状の凸部２３がガラス瓶１の外側から透けて見える。特に、凸部２３の頂部が尖っているため、ガラス瓶１の外側から凸部２３の頂部が鮮明に濃く見える（図３及び図４参照）。しかも、凸部２３の断面が三角形状であり、頂部の両側の厚みが徐々に薄くなるため、ガラス瓶１の厚みの変化に応じて色の濃淡が変化する。このような色の濃淡の変化は、有色透明なガラスの場合に顕著である。
【００１８】
このように、本実施例のガラス瓶１は、内表面の凸部２３が透けて見えることによって、口部１０から胴部２０にかけて連続する線状の模様を有するため、ガラス瓶１の口部１０と胴部２０が一体感を有する外観が得られる。また、胴部２０においては上下方向に延びる複数本の直線状の模様が、口部１０においては螺旋状に形成されている。しかも、凸部２３の厚みの変化に応じて、ガラス瓶１の外部からみえる模様の色の濃淡が周方向に変化するため、ガラス瓶１は変化に富んだ意匠性を呈する。
【００１９】
次に、上述のガラス瓶１（図１）を製造する方法について、図５を参照しつつ以下に説明する。
本実施例のガラス瓶１は、その内表面に、断面三角形状の線状の凸部２３が延伸方向に多数形成されたガラス管１００を用いて製造する。このようなガラス管１００として、例えば市販されているSCHOTT社（ドイツ）製の硼珪酸ガラス管（製品名：CONTURAX）を用いることができるが、これ以外の市販のガラス管を用いても良い。
【００２０】
まず、ガラス管１００を回転させながらガスバーナーで加熱し（図５のステップＳ１）、所定の長さに切断して単位ガラス管１００Ａを得る（ステップＳ２）。次に、単位ガラス管１００Ａを回転させながらその片方の端部をガスバーナーで加熱し、熱軟化した端部１０Ａを形成する（ステップＳ３）。続いて、端部１０Ａを成型芯軸５１に挿入し、単位ガラス管１００Ａを回動させながら、端部１０Ａの外表面に成型ローラー５０を押し付ける。
【００２１】
ここで成型ローラー５０は、成型芯軸５１に平行な軸に回動自由に取り付けられている。そのため、成型ローラー５０を端部１０Ａの外表面に押し付けると、単位ガラス管１００Ａの回動方向と逆の方向に回動する。このとき、端部１０Ａは、成型ローラー５０と接触していることによって単位ガラス管１００Ａの他の部分よりも遅れて回動するため、成型ローラー５０と成型芯軸５１の間に挟み込まれて捻れるように変形しつつ、他の部分よりも細くなるように変形する。また、成型ローラー５０はその外周面に、ガラス瓶１の口部に形成される雄ねじ部１３に対応する凹凸５３を有しているため、上記操作により、雄ねじ部１３が形成される。これにより、雄ねじ部１３を有する口部１０が形成され、成型ローラー５０と成型芯軸５１の間に挿入されなかった部分は単位ガラス管１００Ａの外径寸法を有する胴部２０となる（ステップＳ４）。
【００２２】
このようにして口部１０を形成した後、単位ガラス管１００Ａの他端部、即ち胴部２０側の端部をガスバーナーで加熱して閉塞し（ステップＳ５）、徐冷炉６０の内部に静置して徐冷する（ステップＳ６）。こうして得られたガラス瓶１の胴部２０の内表面には、単位ガラス管１００Ａの内表面の凸部２３がそのまま保持される。また、口部１０の内表面には、成型ローラー５０と成型芯軸５１の間に挟み込まれた際に単位ガラス管１００Ａが捻れることにより、凸部２３が螺旋状の状態で保持される。
【００２３】
なお、単位ガラス管１００Ａの胴部２０側の端部を閉塞する際、バーナーで強く加熱するため、ガラス瓶１の底部となる単位ガラス管１００Ａの先端が溶融し、内表面の凸部２３が潰れる。同様に、口部１０の開口側の先端付近においても、ガラス管１００を切断する際にバーナーで強く加熱する（ステップＳ１）ため、単位ガラス管１００Ａの先端が溶融し、内表面の凸部２３が潰れる。従って、ガラス瓶１の底面及び開口部付近の内表面には凸部２３を有しない。一方、先端付近を除く口部１０では、ステップＳ４において、加工可能に軟化する程度に加熱するため、その際に、肉厚が厚い凸部２３は加工後の内表面に残る。
【００２４】
本考案に係るガラス瓶は上記実施例以外にも、例えば次のような変更が可能である。
図６に示すガラス瓶１Ｂは、口部１０Ｂの外周面に雄ねじ部が形成されおらず、コルク栓等を口部１０Ｂの内部に詰めることによって密封する構成となっている。なお、内表面の凸部は、上記ガラス瓶１と同様に螺旋状に形成されている。
【００２５】
本考案に係るガラス瓶を製造するためのガラス管は、上述したものに限定されず、内表面に様々な形状の凹凸を有するものを用いることができる。上述した製造方法では、素材として用いたガラス管の内表面の形状がそのままガラス瓶の内表面の形状として保存されるため、趣向を凝らした形状の凹凸を内表面に有するガラス管を用いることにより、より意匠性の高いガラス瓶を製造することが可能である。
【符号の説明】
【００２６】
１、１Ｂ、１Ｃ…ガラス瓶
１０、１０Ｂ、１０Ｃ…口部
１００…ガラス管
１００Ａ…単位ガラス管
１０Ａ…端部
１３…雄ねじ部
２０…胴部
２１…模様
２３…凸部
５０…成型ローラー
５１…成型芯軸
６０…徐冷炉
【図１】
0003179016.tif 000003
【図２】
0003179016.tif 000004
【図５】
0003179016.tif 000005
【図６】
0003179016.tif 000006
【図３】
0003179016.tif 000007
【図４】
0003179016.tif 000008